(57)【要約】【課題】作業現場での危険性の予測及び作業性の安全を確保するに止まらず、１個ずつ手で取り外しながら設置する際に、手に馴染み易い（滑り難い）セーフティーコーンを、簡単な構造で提供すること。【解決手段】円錐形状に形成したセーフティーコーン本体１に滑止め防止手段５が形設されており、前記滑止め防止手段５が、前記コーン本体の上方に形成した切欠孔、前記コーン本体の上方に形成した内方に窪む凹部または外方に突出する凸部、部分的に切り込んだ切込み、表面に備えたザラザラ部分を含む群より選択されたいずれか又はその複数であるところに構成特徴がある。【選択図】  図１
2004162356.tif 000002
【特許請求の範囲】
【請求項１】
円錐形状に形成したセーフティーコーン本体に滑止め防止手段が形設されており、前記滑止め防止手段が、前記コーン本体の上方に形成した切欠孔、前記コーン本体の上方に形成した内方に窪む凹部または外方に突出する凸部、部分的に切り込んだ切込み、表面に備えたザラザラ部分を含む群より選択されたいずれか又はその複数であることを特徴とするセーフティーコーン。
【発明の詳細な説明】
【発明の属する技術分野】
本発明は、作業現場での危険性の予測及び作業性の安全を確保するために使用するセーフティーコーンに関するものである。
【０００１】
【従来の技術】
従来、土木工事や建築工事などの作業現場における危険性の予測及び作業性の安全を確保するためにセーフティーコーンが使用されている。従来の係るセーフティーコーンは、円錐形状に形成したセーフティーコーン本体を立設したものであり、セーフティーコーン本体に赤と白や黄色などの横縞、或いは斜縞を付しただけのものであった。
【０００２】
また、セーフティーコーンのコーン本体を展開した時の形状と相似的な扇形状をした化粧コートを円錐形に形成し、前記セーフティーコーンのコーン本体に着脱自在に装着させ、前記化粧コーンに各種の模様や図案などを描き、或いは描けるようにしたものが提案されている（特許文献１）。
【０００３】
【特許文献１】
実開平７−４５２０号公報、（請求項１）
【０００４】
【発明が解決しようとする課題】
しかしながら、従来のセーフティーコーンを作業現場に設置する場合、その複数を積層したまま設置位置まで持ち運び、１個ずつ手で取り外しながら設置又は移動させるという作業を繰り返している。しかし、コーン本体が上方に向けて縮経する円錐形状であるため、設置作業において手に馴染み難く（滑り易く）、作業効率という点において支障を来すという不具合があった。
【０００５】
本発明はかかる実情に鑑みなされたものであり、その目的とするところは、作業現場での危険性の予測及び作業性の安全を確保するに止まらず、１個ずつ手で取り外しながら設置又は移動する際に、手に馴染み易い（滑り難い）セーフティーコーンを、簡単な構造で提供せんとするものである。
【０００６】
【課題を解決するための手段】
上記課題を解決するために本発明が採用した手段は、円錐形状に形成したセーフティーコーン本体に滑止め防止手段が形設されており、前記滑止め防止手段が、前記コーン本体の上方に形成した切欠孔、前記コーン本体の上方に形成した内方に窪む凹部または外方に突出する凸部、前記コーン本体の上方を部分的に切り込んだ切込み、表面に備えたザラザラ部分を含む群より選択されたいずれか又はその複数であるところに特徴を有する。
【０００７】
【発明の実施の形態】
以下、実施例により、本発明を具体的に説明するが、これらはその代表的なものを例示したに過ぎず、本発明はこの実施例に限定されるものではない。
【０００８】
図１は、本発明のセーフティーコーン１０の概略全体図であり、図２は同セーフティーコーン１０の要部縦断面図である。
【０００９】
図において、このセーフティーコーン１０は、ベース３上に、コーン本体１を、該コーン本体１の下端縁に一体形成したフランジ２を介して立設したものであり、コーン本体１の上方に後述する滑止め防止手段５（切欠孔５ａ）が形設されている。ただし、例えば引きどっこ方式とも呼ばれる固定方法、すなわち、止めネジを突設したベース１がフランジ２上の適宜な位置に着設でき、フランジ２に穿設した止め孔に係合するように構成されていても構わない。
【００１０】
切欠孔５ａは、コーン本体１の互いに対峙する２箇所に切欠孔５ａが形成されていてもよく（図２（ａ））、また、コーン本体１の上方に１個の切欠孔５ａを形成されていても構わない（図２（ｂ））。
【００１１】
コーン本体１の形状は、従来のセーフティーコーンのコーン本体１と略同一でその複数を積重できるようになっている。
【００１２】
滑止め防止手段５は、積層した複数のセーフティーコーンから１個ずつ手で取り外す作業時や、取り外したセーフティーコーン１０を設置位置に移動する作業時に、手でしっかりと掴み易いように形成された部位の総称であり、大要、▲１▼コーン本体の上方を切り欠いた切欠孔５ａ（図１，２参照）、▲２▼コーン本体の上方で内方に窪む凹部５ｂ（図３（ａ）、（ｂ）参照）、または、外方に突出する凸部５ｃ（図３（ｃ）参照）、▲３▼コーン本体の上方を部分的に切り込んだ切込み５ｄ（図４（ａ）、（ｂ）参照）、▲４▼コーン本体の上方表面に形成したザラザラ部分５ｅ（図５（ａ）参照）、▲５▼コーン本体の上方表面に、表面をザラザラに形成したテープ部材５ｆ（図５（ｂ）参照）を貼着したもの、に大別できる。
【００１３】
セーフティーコーン１０は、射出成形にて成型後、必要に応じ、後加工を施すことで製造できるし、また、例えば周端縁に接合部を有する割分体を真空成型法などにより成形し、接着剤にて接合部を接合しても製造できる。
【００１４】
本発明に係るセーフティーコーン１０には、上記▲１▼〜▲４▼のいずれかに記載の滑止め防止手段５が予め形成されているから、積層した複数のセーフティーコーンから１個ずつ手で取り外す作業や、各セーフティーコーン１０の単体を設置位置に移動する場合、手に馴染み易く（滑り難く）、手でしっかりと掴むことができる。
【００１５】
なお、上記▲２▼又は▲４▼のように構成されていると、当該セーフティーコーンの複数を積層した時に密着することがなく、手で１個づつ簡単に取り外すことができるという作用が得られる。
【００１６】
【発明の効果】
以上、本発明に係るセーフティーコーンは、構造が簡単で、特別な製造装置を設備することなく製造できるから、廉価に提供できる。
【００１７】
また、本発明に係るセーフティーコーンは、手に馴染み易く（滑り難く）、手でしっかりと掴むことができるから、積層した複数のセーフティーコーンから１個ずつ手で取り外す作業や各セーフティーコーン１０の単体を設置位置に移動する作業時に手が滑って落とすことがないから、係る作業効率の向上が図れるという、実効性に優れた作用効果が得られる。
【図面の簡単な説明】
【図１】図１は、本発明のセーフティーコーンの概略全体図である。
【図２】図２は同セーフティーコーンの要部縦断面図である。コーン本体の上方を切り欠いてなる切欠孔５ａとして滑止め防止手段が示されている。
【図３】図３は滑止め防止手段を説明するための要部縦断面図である。図３（ａ），（ｂ）はコーン本体の上方で外方に突出する凸部が滑止め防止手段であり、図３（ｃ）はコーン本体の上方で内方に窪む凹部が滑止め防止手段であることを示している。
【図４】図４（ａ），（ｂ）は，他の滑止め防止手段を説明するための要部縦断面図であり、コーン本体の上方を部分的に切り込んだ切込みが滑止め防止手段であることを示している。
【図５】図５は他の滑止め防止手段を説明するための要部縦断面図であり、図５（ａ）の滑止め防止手段は、コーン本体の上方表面に形成したザラザラ部分であり、図５（ｂ）は、コーン本体の上方表面に、表面をザラザラに形成したテープを貼着したものである。
【符号の説明】
１  …  コーン本体
２  …  フランジ
３  …  ベース
５  …  滑止め防止手段
５ａ…  切欠孔
５ｂ…  凹部
５ｃ…  凸部
５ｄ…  切込み
５ｅ…  ザラザラ部分
５ｆ…  テープ部材
１０  …  セーフティーコーン
【図１】
2004162356.tif 000003
【図２】
2004162356.tif 000004
【図３】
2004162356.tif 000005
【図４】
2004162356.tif 000006
【図５】
2004162356.tif 000007